(57)【特許請求の範囲】
【請求項１】
可視光源と可視光光学系による可視光観察法と、紫外光源と紫外光光学系による紫外光観察法により試料の観察ができる顕微鏡システムにおいて、
前記可視光観察法又は前記紫外光観察法への切り換えの指示を行うことにより観察法を選択する観察法切り換え指示手段と、
前記切り換え指示手段により選択された前記観察法への切り換えを制御する制御手段と、
前記切り換え指示手段により選択された前記観察法に関する調整の指示を入力する調整指示入力手段と、
前記調整指示入力手段のうち、選択された前記観察法以外の観察法のみで用いられる前記調整に関する前記指示の入力を制限する調整指示入力制限手段と、
を備えることを特徴とする顕微鏡システム。
【請求項２】
前記制御手段は、前記調整指示入力手段による前記選択された観察法に関する調整指示に基づいて、該観察法による前記顕微鏡システムの観察環境の設定を変更する、
ことを特徴とする請求項１に記載の顕微鏡システム。
【請求項３】
前記調整指示入力制限手段は、前記観察法切り替え指示手段により可視光観察法が選択されると、紫外光観察法のみに用いられる前記調整に関する前記指示の入力を制限し、前記紫外光観察法が選択されると、前記可視光観察法のみに用いられる前記調整に関する前記指示の入力を制限する
ことを特徴とする請求項２に記載の顕微鏡システム。
【請求項４】
前記制御手段は、前記調整指示入力手段による前記選択された観察法に関する調整指示に基づいて、前記可視光源又は前記紫外光源の点灯／消灯の切り換え制御を行う
ことを特徴とする請求項２に記載の顕微鏡システム。
【請求項５】
前記制御手段は、前記調整指示入力手段による前記選択された観察法に関する調整指示に基づいて、遮光部材により前記可視光源又は前記紫外光源からの光の光路を遮断する制御を行う
ことを特徴とする請求項２に記載の顕微鏡システム。
【請求項６】
前記制御手段は、前記調整指示入力手段による前記選択された観察法に関する調整指示に基づいて、前記可視光源又は前記紫外光源から前記試料への光の光路を切り換える制御を行う
ことを特徴とする請求項２に記載の顕微鏡システム。
【請求項７】
前記制御手段は、前記調整指示入力手段による前記選択された観察法に関する調整指示に基づいて、対物レンズの種類を切り換える制御を行う
ことを特徴とする請求項２に記載の顕微鏡システム。
【請求項８】
前記顕微鏡システムは、さらに、
前記観察法切り換え指示手段により前記観察法のうちの第１の観察法から第２の観察法へ選択された場合、該第１の観察法での前記顕微鏡の設定状態に関する情報を格納し、前記観察法切り換え指示手段により前記第１の観察法が選択された場合、前記格納した前記設定状態に関する情報に基づいて、該顕微鏡を前回の状態に復帰させる復帰手段
を備えることを特徴とする請求項２に記載の顕微鏡システム。
【請求項９】
可視光源及び紫外光源と、
前記可視光源に対応する可視光光学系及び前記紫外光源に対応する紫外光光学系と、
前記可視光源と前記可視光光学系による可視光観察法又は前記紫外光源と前記紫外光光学系による紫外光観察法への切り換えの指示を行うことにより観察法を選択する観察法切り換え指示手段と、
前記切り換え指示手段により選択された前記観察法の切り換えを制御する制御手段と、
前記切り換え指示手段により選択された前記観察法に関する調整の指示が入力される調整指示入力手段と、備える顕微鏡システムの制御方法であって、
前記切り換え指示手段のうち、選択された前記観察法以外の観察法のみで用いられる前記調整に関する前記指示の入力を制限する
ことを特徴とする顕微鏡システムの制御方法。
【発明の詳細な説明】
【技術分野】
【０００１】
本発明は、複数の光源を用いてその反射光、透過光、蛍光の測定可能な顕微鏡に関し、特に可視光及び紫外光を照射する光源を有する顕微鏡に関する。
【背景技術】
【０００２】
近年、微細構造を観察する用途から、波長λが３００ｎｍ以下の紫外光を照明光とする顕微鏡が使用されている。このように、波長λを短くすることで分解能は向上する。しかしながら、紫外光は有機物を破壊するという特徴があるため、利点と同時に試料の損傷の問題も無視することができない。
【０００３】
また、可視光観察／紫外光観察の観察法の切り換え可能な顕微鏡の場合、可視光から紫外光までの範囲を１つの対物レンズだけで対応することは難しい。そのため、可視光用対物レンズと紫外光用対物レンズとを使い分ける必要がある。
【０００４】
そこで、電動レボルバに可視光用対物レンズと紫外光用対物レンズとを取り付け、それらの対物レンズを切り換えることで観察を行うことができる。しかしながら、この場合、不用意な操作ミスなどによる紫外光の照射で、試料を損傷させるおそれがある。また、不用意な操作ミスなどによる紫外光の照射で、可視光用の光学系及び対物レンズに使用される接着剤が白濁して劣化するという問題も起こる。
【０００５】
そこで、対物レンズの損傷を回避するために、光源を可視光から紫外光に切り換える、または紫外光専用対物レンズを指定する操作をした場合に、対物レンズ、光学系、光源等を自動で切り換える方法が開示されている（例えば、特許文献１）。
【特許文献１】特開平１１−５２２５３号公報
【発明の開示】
【発明が解決しようとする課題】
【０００６】
上述のように、可視光と紫外光の光源を切り換えて観察を行うことができる顕微鏡を使用する場合、紫外光により損傷を受ける試料や対物レンズ等についての保護を考える必要がある。
【０００７】
特許文献１によれば、紫外光用の対物レンズや紫外光源を選択した場合に、自動で各々の光路、対物レンズ、紫外光が切り換わり、紫外光が可視光用対物レンズに照射しないように制御されている。
【０００８】
しかしながら、絶対位置により所定の対物レンズを直接選択する場合とは異なり、順送りにより複数の対物レンズを送って所定の対物レンズを選択する場合、その操作性が悪い。
【０００９】
また、ハンドスイッチ等の機能の表示が明確にされていないボタンを使用する場合、ボタンの選択ミスにより、試料への紫外光の誤照射等が生じるおそれがある。また、ブラインドタッチをするような状況でも、ボタンの選択ミスにより、試料への紫外光の誤照射等が生じるおそれがある。
【００１０】
また、現在の顕微鏡の観察状態（可視光観察か紫外光観察かということ）がユーザから見て判別し難いという問題があった。また、顕微鏡に新規ユニットや機能が加わる場合に、自動化を行う上での条件設定等の修正が煩雑になるという問題があった。また、可視光観察から紫外光観察への切り換えに際し、連動動作の制御下において、使用状況に応じて紫外光照射時間を厳密に管理することが難しい等の問題があった。
【００１１】
上記の課題に鑑み、本発明では、試料及び対物レンズ等への紫外光の誤照射を回避し、より操作性の良い切り換え法をもつ顕微鏡システムを提供する。
【課題を解決するための手段】
【００１２】
本発明にかかる、可視光源と可視光光学系による可視光観察法と、紫外光源と紫外光光学系による紫外光観察法により試料の観察ができる顕微鏡システムにおいて、前記可視光観察法又は前記紫外光観察法への切り換えの指示を行うことにより観察法を選択する観察法切り換え指示手段と、前記切り換え指示手段により選択された前記観察法への切り換えを制御する制御手段と、前記切り換え指示手段により選択された前記観察法に関する調整の指示を入力する調整指示入力手段と、前記調整指示入力手段のうち、選択された前記観察法以外の観察法のみで用いられる前記調整に関する前記指示の入力を制限する調整指示入力制限手段と、を備えることを特徴とする。
【００１４】
前記顕微鏡システムにおいて、前記制御手段は、前記調整指示入力手段による前記選択された観察法に関する調整指示に基づいて、該観察法による前記顕微鏡システムの観察環境の設定を変更する、ことを特徴とする。
【００１５】
前記調整指示入力制限手段は、前記観察法切り替え指示手段により可視光観察法が選択されると、紫外光観察法のみに用いられる前記調整に関する前記指示の入力を制限し、前記紫外光観察法が選択されると、前記可視光観察法のみに用いられる前記調整に関する前記指示の入力を制限することを特徴とする。
【００１６】
前記顕微鏡システムにおいて、前記制御手段は、前記調整指示入力手段による前記選択された観察法に関する調整指示に基づいて、前記可視光源又は前記紫外光源の点灯／消灯の切り換え制御を行うことを特徴とする。
前記顕微鏡システムにおいて、前記制御手段は、前記調整指示入力手段による前記選択された観察法に関する調整指示に基づいて、遮光部材により前記可視光源又は前記紫外光源からの光の光路を遮断する制御を行うことを特徴とする。
【００１７】
前記顕微鏡システムにおいて、前記制御手段は、前記調整指示入力手段による前記選択された観察法に関する調整指示に基づいて、前記可視光源又は前記紫外光源から前記試料への光の光路を切り換える制御を行うことを特徴とする。
前記顕微鏡システムにおいて、前記制御手段は、前記調整指示入力手段による前記選択された観察法に関する調整指示に基づいて、対物レンズの種類を切り換える制御を行うことを特徴とする。
【００２０】
前記顕微鏡システムは、さらに、前記観察法切り換え指示手段により前記観察法のうちの第１の観察法から第２の観察法へ選択された場合、該第１の観察法での前記顕微鏡の設定状態に関する情報を格納し、前記観察法切り換え指示手段により前記第１の観察法が選択された場合、前記格納した前記設定状態に関する情報に基づいて、該顕微鏡を前回の状態に復帰させる復帰手段を備えることを特徴とする。
【００２１】
本発明にかかる、可視光源及び紫外光源と、前記可視光源に対応する可視光光学系及び前記紫外光源に対応する紫外光光学系と、前記可視光源と前記可視光光学系による可視光観察法又は前記紫外光源と前記紫外光光学系による紫外光観察法への切り換えの指示を行うことにより観察法を選択する観察法切り換え指示手段と、前記切り換え指示手段により選択された前記観察法の切り換えを制御する制御手段と、前記切り換え指示手段により選択された前記観察法に関する調整の指示が入力される調整指示入力手段と、備える顕微鏡システムの制御方法は、前記切り換え指示手段のうち、選択された前記観察法以外の観察法のみで用いられる前記調整に関する前記指示の入力を制限することを特徴とする。
【発明の効果】
【００２２】
本発明を用いることにより、観察法の切り換えに際して、試料、対物レンズ等への紫外光の誤照射を回避することができ、切り換え動作をスムーズに行うことができる。
【発明を実施するための最良の形態】
【００２３】
本発明にかかる、複数の観察法により試料の観察ができる顕微鏡システムは、２つ以上の光源と、前記光源に対応する観察光学系と、前記観察法の切り換えの指示を行う観察法切り換え指示手段（本発明の実施形態における観察法切り換え部２０１に相当する）と、前記切り換え指示手段に基づいて、前記観察法の切り換えを制御する制御手段（本発明の実施形態における制御回路１０２に相当する）と、前記切り換え指示手段に基づいて、選択された前記観察法に関する調整の指示が入力される調整指示入力手段（本発明の実施形態における対物レンズ絶対位置切り換え部２０２、対物レンズ順送り２０３、光路切り換え部２０５、シャッター制御部２０４に相当する）と、を備える。
【００２４】
このように構成することにより、観察法切り換え指示手段により１つの観察法を選択した場合、それ以外の観察法のみに使用する調整指示入力手段の機能が使用できないようになるので、複数の観察法を有する顕微鏡をより、操作性よく使用できる。
【００２５】
前記顕微鏡システムは、さらに、前記切り換え指示手段に基づいて、前記調整指示入力手段のうち、前記選択された観察法以外の観察法のみで用いられる前記調整に関する前記指示の入力を制限する調整指示入力制限手段（本発明の実施形態における操作部の各種ボタンを選択可／不可にする手段）を備える。
【００２６】
このように構成することにより、観察法切り換え指示手段による選択結果によって選択された観察法で使用しない機能を無効にできるので、誤操作を防止できる。
前記顕微鏡システムにおいて、前記制御手段は、前記調整指示入力手段による前記選択された観察法に関する調整指示に基づいて、該観察法による前記顕微鏡システムの観察環境の設定を変更する。
【００２７】
このように構成することにより、現在選択されている観察法での観察環境の設定（例えば、対物レンズの種類の変更、光路を遮断する遮断部材の開閉、明視野光路／暗視野光路／紫外光路等の光路の切り換え等）を変更することができる。
【００２８】
前記顕微鏡システムは、さらに、可視光用の対物レンズと、紫外光用の対物レンズとを備え、前記光源は、それぞれ、可視光源と紫外光源であり、前記観察系は、それぞれ、可視光光学系と紫外光光学系であり、前記調整指示入力制限手段は、前記観察法切り替え指示手段により可視光観察法が選択されると、紫外光観察のみに用いられる前記調整に関する前記指示の入力を制限し、前記紫外光観察法が選択されると、前記可視光観察のみに用いられる前記調整に関する前記指示の入力を制限する。
【００２９】
このように構成することにより、紫外光による試料、可視光用光学系、及び可視光用対物レンズの損傷を防止できる。
前記顕微鏡システムにおいて、前記制御手段は、前記調整指示入力手段に基づいて、前記光源の点灯／消灯の切り換え制御を行う。
【００３０】
このように構成することにより、前記光源から試料への照射を制御することができるので、複数の観察法を有する顕微鏡をより操作性よく使用できる。
前記顕微鏡システムにおいて、前記制御手段は、前記調整指示入力手段に基づいて、遮光部材により前記光源からの光の光路を遮断する制御を行う。
【００３１】
このように構成することにより、前記光源から試料への照射を制御することができるので、複数の観察法を有する顕微鏡をより操作性よく使用できる。
前記顕微鏡システムにおいて、前記制御手段は、前記調整指示入力手段に基づいて、前記光源から前記試料への光の光路を切り換える制御を行う。
【００３２】
このように構成することにより、複数の観察法を有する顕微鏡をより操作性よく使用できる。
前記顕微鏡システムにおいて、前記制御手段は、前記調整指示入力手段に基づいて、対物レンズの種類を切り換える制御を行う。
【００３３】
このように構成することにより、例えば、可視光観察法選択時において、前記調整指示入力手段により、紫外光用対物レンズの選択ができないようになっているので、可視光用対物レンズのみをスムーズに切り換えることができる。
【００３４】
前記顕微鏡システムにおいて、前記観察法切り換え指示手段により前記可視光観察法が選択されたときに、前記紫外光源が点灯している場合または遮光部材により前記紫外光源からの紫外光の光路が遮断されていない場合にはそれぞれ、前記制御手段は、前記紫外光源を消灯させまたは前記遮光部材により前記光路を遮断させる。
【００３５】
このように構成することにより、「紫外光観察⇒可視光観察」への切り替え時に、紫外光が可視光用対物レンズや光路、試料等に照射するのを防止することができる。
前記顕微鏡システムにおいて、前記観察法切り換え指示手段により前記紫外光観察法が選択されたときに、前記紫外光源が点灯している場合または遮光部材により前記紫外光源からの紫外光の光路が遮断されていない場合のそれぞれにおいて、前記制御手段は、前記紫外光源を消灯させ、または前記遮光部材により前記光路を遮断させた後、前記調整指示入力手段による前記調整指示に基づいて、前記紫外光源を点灯させまたは前記遮光部材により前記遮断された前記光路を開放させる。
【００３６】
このように構成することにより、使用状況に応じて紫外光照射時間を厳密に管理することができる。
前記顕微鏡システムは、さらに、前記観察法切り換え指示手段により前記観察法のうちの第１の観察法から第２の観察法へ選択された場合、該第１の観察法での前記顕微鏡の設定状態に関する情報を格納し、前記観察法切り換え指示手段により前記第１の観察法が選択された場合、前記格納した前記設定状態に関する情報に基づいて、該顕微鏡を前回の状態に復帰させる復帰手段を備える。
【００３７】
このように構成する前回の切り換え時点での状態に顕微鏡の各ユニットの状態を復帰させることができる。
＜第１の実施の形態＞
本実施形態では、「可視光観察」または「紫外光観察」の観察法の選択ができ、一方の観察法を選択した場合に他方の観察法に対応する操作ができない（すなわち、選択した観察法に対応する操作しかできない）顕微鏡について説明する。
【００３８】
図１は、本実施形態における紫外光顕微鏡システムの構成図を示す。紫外光顕微鏡システムは、顕微鏡本体１、操作部２５、コンピュータ１０５、及びモニタ１０４から構成される。
【００３９】
この紫外光顕微鏡は、落射照明による可視光光学系と、紫外照明による紫外光光学系とを有している。顕微鏡本体１には、ステージ２に対応させてレボルバ３が配置されている。このレボルバ３には、複数の対物レンズが取り付けられている。その対物レンズのうちいずれかは可視光用の対物レンズ４であり、いずれかは紫外光用の対物レンズ５である。
【００４０】
また、レボルバ３は回転可能になっている。モータドライバ等により構成されている駆動回路１０１によりモータ１０６を駆動させると、レボルバ３を回転させることができる。それにより、対物レンズを選択的に切り換えることができるので、所望の対物レンズを光軸上に配置することができる。
【００４１】
さらに、レボルバ３の近傍には、図示しないレボルバ位置センサが配置されている。そのレボルバ位置センサにより、レボルバ３の穴位置から対物種別を認識できる。
ステージ２は、試料６を載置するもので、ＸＹ方向に水平移動可能である。これにより
、ステージ２は、対物レンズの光軸に対する試料６の観察中心位置を調整できる。また、ステージ２は、照準移動機構１０３により、電動で上下方向に駆動可能である。これにより、ステージ２上の試料６に対して合焦位置を調整できる。
【００４２】
この顕微鏡本体１における可視光光学系は、可視光観察用の可視光源７からの光を照明系レンズ８を介してハーフミラー９ａを含む光路切り換えユニット９で反射させている。この光路切り換えユニット９は、明視野、暗視野、及び紫外光の光路を有している。
【００４３】
制御回路１０２から発せられる指令が駆動機構１０１に伝達されると、駆動機構１０１はモータ１０７を駆動させて、光路切り換えユニット９を駆動させることができる。それにより、光路切り換えユニット９は明視野、暗視野、及び紫外光の各光路を切り換えることができる。
【００４４】
また、光路位置センサ（不図示）により光路切り換えユニット９の光路の切り換え状態を検知できるので、必要に応じて現在の光路切り換えユニット９の切り換え状態（すなわち、現在選択されている光路）を制御回路１０２へ伝達することができる。
【００４５】
光路切り換えユニット９からの光は、可視光用対物レンズ４を介して試料６に照射する。そして、試料６からの反射光を対物レンズ４で拡大させて、光路切り換えユニット９を透過させ、ダイクロイックミラー（可視光を透過、紫外光を反射する特性を有する）１０、結像レンズ１１、及びミラー１２を介して接眼レンズ１３に入射させる。そうすると、接眼レンズ１３により拡大像を観察位置１４で目視観察できる。
【００４６】
この場合、可視光源７の前面には、遮光部材（またはシャッターと称する）１５が配置されている。制御回路１０２から発せられる指令が駆動回路１０１に伝達されると、駆動回路１０１はモータ１０８を駆動させて、遮光部材１５を駆動させることができる。それにより、遮光部材１５は、可視光源７からの光を開放／遮光できる。
【００４７】
また、可視光遮光部状態センサ（不図示）により遮光部材１５の開閉状態を検知できるので、必要に応じて現在の遮光部材１５の開閉状態を制御回路１０２へ伝達することができる。なお、紫外光観察において、可視光の遮断は必ずしも必要ではないので、その場合には遮光部材１５、モータ１０８は、必ずしも必要な部材ではない。
【００４８】
一方、紫外光光学系は、紫外光観察用の紫外光源１６からの紫外光を、照明系レンズ１７及び減光部１８を介して紫外光用ハーフミラー１９で反射させ、さらに紫外光用ミラー２０、ダイクロイックミラー１０で反射させ、光路切り換えユニット９、紫外光用対物レンズ５を介して試料６に照射し、かつ試料６からの反射光を紫外光用対物レンズ５で拡大し、光路切り換えユニット９を透過させ、ダイクロイックミラー１０で反射させて、紫外光用ミラー２０、紫外光用ハーフミラー１９、結像レンズ２１を介して紫外光観察用ＴＶカメラ２２の結像位置２３に結像させるように構成している。
【００４９】
この場合、紫外光源１６の前面にも、遮光部材（またはシャッターと称する）２４が配置されている。制御回路１０２から発せられる指令が駆動回路１０１に伝達されると、駆動回路１０１はモータ１０９を駆動させて、遮光部材２４を駆動させることができる。それにより、遮光部材２４は、紫外光源１６からの光を開放／遮光できる。
【００５０】
また、紫外光遮光部状態センサ（不図示）により遮光部材２４の開閉状態を検知できるので、必要に応じて現在の遮光部材２４の開閉状態を制御回路１０２へ伝達することができる。
【００５１】
駆動機構１０１、照準移動機構１０３は、制御回路１０２から発せられる指令が伝達されると、その指令に対応するモータを駆動させて、そのモータに対応する構成要素を動作させることができる。
【００５２】
また、前述したレボルバ位置センサ、光路位置センサ、可視光遮光部状態センサ、紫外光遮光部状態センサ等の各部に配置されたセンサの認識結果に応じた信号は、制御回路１０２へ入力される。
【００５３】
コンピュータ１０５は、紫外光観察用カメラ２２からの信号を受けて、その信号に基づく画像をモニタ１０４に表示させることができる。また、コンピュータ１０５は、顕微鏡を操作するためのソフトウェアをモニタ１０４に表示させることができる。このソフトウェアによる操作画面から操作すると、制御回路１０２にその操作に基づく指令が伝達されることで、各駆動部を操作することができる。
【００５４】
また、制御回路１０２には、操作部２５が接続されている。操作部２５に配置されたボタンを操作することによっても各駆動部を操作することができる。
次に、本実施形態における操作部２５について、図２、図３を用いて説明する。
【００５５】
図２は、本実施形態における顕微鏡を操作するための操作部２５（可視光観察選択時）を示す。操作部２５には、前述したように、紫外光顕微鏡の駆動を行うためのボタンが配置されている。
【００５６】
対物レンズ絶対位置切り換え部２０２（２０２ａ，２０２ｂ，２０２ｃ，２０２ｄ，２０２ｅ）は、対物レンズを選択するボタンである。
本実施形態において、「可視１」ボタン２０２ａを選択すると、可視光用の対物レンズ（例えば、１０倍）を選択することができる。また、「可視２」ボタン２０２ｂを選択すると、可視光用の対物レンズ（例えば、２０倍）を選択することができる。また、「可視３」ボタン２０２ｃを選択すると、可視光用の対物レンズ（例えば、５０倍）を選択することができる。また、「可視４」ボタン２０２ｄを選択すると、可視光用の対物レンズ（例えば、１００倍）を選択することができる。また、「紫外」ボタン２０２ｅを選択すると、紫外光用（例えば、１００倍）の対物レンズを選択することができる。
【００５７】
対物レンズ順送り部２０３（２０３ａ，２０３ｂ）は、対物レンズを左右へ順番に切り換えるためのボタンである。右方向順送りボタン２０３ａを選択すると、レボルバ３が回転して、対物レンズを右方向に順に切り替えることができる。左方向順送りボタン２０３ｂを選択すると、レボルバ３が回転して、対物レンズを左方向に順に切り替えることができる。
【００５８】
シャッター制御部２０４（２０４ａ，２０４ｂ）は、紫外光照射用の遮光部材２４を開閉制御するためのボタンである。「Ｏｐｅｎ」ボタン２０４ａを選択すると、紫外光照射用のシャッターが開く。「Ｃｌｏｓｅ」ボタン２０４ｂを選択すると、紫外光照射用のシャッターが閉じる。
【００５９】
光路切り換え部２０５（２０５ａ，２０５ｂ，２０５ｃ）は、光路切り換えユニット９（例えば、各観察法のためのプリズムを配置）を制御して、明視野光路（ＢＦ）、暗視野光路（ＤＦ）、紫外光路（ＵＶ）のいずれかの光路に切り替えるためのボタンである。「ＤＦ」ボタン２０５ａを選択すると、暗視野光路（ＤＦ）に切り替えることができる。「ＢＦ」ボタン２０５ｂを選択すると、明視野光路（ＢＦ）に切り替えることができる。「ＵＶ」ボタン２０５ｃを選択すると、紫外光路（ＵＶ）に切り替えることができる。
【００６０】
観察法切り換え部２０１（２０１ａ，２０１ｂ）は、可視光観察状態、紫外光観察状態を切り換える為のボタンである。「可視光観察」ボタン２０１ａを選択すると、図２のように、「紫外」ボタン２０２ｅ、「Ｏｐｅｎ」ボタン２０４ａ、「Ｃｌｏｓｅ」ボタン２０４ｂ、「ＵＶ」ボタン２０５ｃを使用できなくなる。
【００６１】
また、「紫外光観察」ボタン２０１ｂを選択すると、図３の状態になる。
図３は、本実施形態における顕微鏡を操作するための操作部２５（紫外光観察選択時）を示す。図２において、「紫外光観察」ボタン２０１ｂを選択すると、「可視１」ボタン２０２ａ、「可視２」ボタン２０２ｂ、「可視３」ボタン２０２ｃ、「可視４」ボタン２０２ｄ、「ＤＦ」ボタン２０５ａ、「ＢＦ」ボタン２０５ｂを使用できなくなる。
【００６２】
本実施形態の作用について、まず、図１の顕微鏡にて、「可視光観察」ボタン２０１ａが選択され（図２）、可視光観察されているとして説明する。可視光観察状態では、紫外光源１６の光を遮光する為の遮光部材２４は閉まった状態となっている。また、光路切り換えユニット９により、可視光観察用の光路として「ＢＦ」または「ＤＦ」が選択されている。また、レボルバ３は、可視光用対物レンズ４を光路上に配置している。
【００６３】
操作部２５は、図２の状態となっている。つまり、「可視光観察」ボタン２０１ａが選択されているため、「紫外」ボタン２０２ｅ、「Ｏｐｅｎ」ボタン２０４ａ、「Ｃｌｏｓｅ」ボタン２０４ｂ、「ＵＶ」ボタン２０５を選択することができない。
【００６４】
この状態にて「紫外」ボタン２０２ｅ、「Ｏｐｅｎ」ボタン２０４ａ、「Ｃｌｏｓｅ」ボタン２０４ｂ、「ＵＶ」ボタン２０５が選択された場合は、無反応としてもよいし、ブザー音等を鳴らして操作を無効としても良い。
【００６５】
次に、可視光観察状態から、紫外光観察状態へ切り換える。この場合には、「紫外光観察ボタン」２０１ｂを選択する。紫外光観察ボタンを選択すると、図３のように、「可視１」ボタン２０２ａ、「可視２」ボタン２０２ｂ、「可視３」ボタン２０２ｃ、「可視４」ボタン２０２ｄ、「ＤＦ」ボタン２０５ａ、「ＢＦ」ボタン２０５ｂを選択することができない。
【００６６】
この状態にて、「可視１」ボタン２０２ａ、「可視２」ボタン２０２ｂ、「可視３」ボタン２０２ｃ、「可視４」ボタン２０２ｄ、「ＤＦ」ボタン２０５ａ、「ＢＦ」ボタン２０５ｂを選択した場合、無反応としても良いし、ブザー等を鳴らして操作を無効としても良い。
【００６７】
この紫外光観察状態から、「可視光観察」ボタン２０１ａを選択すると、前述した可視光観察状態へと切り替わる。
本実施形態において、対物レンズ順送り部２０３（２０３ａ，２０３ｂ）により、順次に対物レンズを選択する場合、選択不可としている対物レンズを飛ばして、可視１→可視２→可視３→可視４→可視１→・・・というような操作ができても良い。また、例えば、対物レンズ順送り部２０３（２０３ａ，２０３ｂ）により、可視４から紫外へ、または、可視１から紫外へ対物レンズが移動できないようにしてもよい。ブザー等を鳴らし、操作を無効としても良い。
【００６８】
なお、図２、図３の場合、図１の顕微鏡に配備された紫外光用対物レンズ５は１つであるが、紫外光用対物レンズ５は複数あってももちろん良い。このとき、その紫外光用対物レンズ５に対応する数だけ、対物レンズ絶対位置切り換え部２０２のボタン数も増加する。また、対物レンズ順送り部２０３により対物レンズを切り換える場合には、可視光対物レンズを飛ばして紫外光用対物レンズが選択できるようにしてもよい。また、対物レンズ順送り部２０３により対物レンズを切り換えて可視光用対物レンズ４が選択された場合には、ブザー等を鳴らして操作を無効としてもよい。
【００６９】
また、紫外光が可視光用対物レンズ４に入らないようにするために、紫外光用対物レンズ５を切り換える場合は、可視光用対物レンズ４がその紫外光の光路内に入らない順番にてレボルバ３を回転させて、その紫外光用対物レンズ５の切り換えを行うように制御する。また、紫外光用対物レンズ５に切り換える場合は、可視光用対物レンズ４が光路内に入っている間、紫外光を遮るように遮光部材２４を閉じる等としても良い。
【００７０】
順次切り替え操作は、対物レンズに限らない。例えば、光路切り換え等、複数のユニットを順次切り換えボタンで切り換える場合や、１つのボタンでいくつかの状態を切り換えていく場合に順次切り替え操作を使用しても良い。
【００７１】
観察法切り換え部２０１は、例えば、他の操作ボタンと形状を変えたり、ブラインドタッチ時に他の操作ボタンと判別できるように凹凸をつけたり、他の操作ボタンから位置を離したり、他の操作ボタンとスイッチの種類を変えたりして容易に判別の付くようにしておくと良い。
【００７２】
また、操作部２５からの操作は、コンピュータ１０５によりモニタ１０４に表示されたソフトウェア上にボタンを配置して操作できるようにしてもよい。
操作部２５上において、または、コンピュータ１０５によりモニタ１０４に表示されたソフトウェア上において、例えば、選択できるボタンは明るく表示させて、選択できないボタンは暗く表示させるようにしてもよい。これにより、選択可能なボタンと、選択不可能なボタンとを視覚的に判別できるように表示してもよい。
【００７３】
本実施形態によれば、「可視光観察」ボタン２０１ａと「紫外光観察」ボタン２０１ｂにより、まず観察法を指定し、それに伴って選択可能となる選択ボタンにより各種設定を行うことができる。これにより、紫外光観察時に、誤って、可視光対物レンズが光軸上に配置される等の操作ミスを無くすことができるので、操作性が向上する。
【００７４】
また、対物レンズなど複数のユニットを順次切り換えボタンで操作する場合に、観察している光源にて使用しないユニットを選択することがない。これにより、時間の短縮につながり、効率の良い操作及び観察を行うことができる。
【００７５】
図４は、本実施形態（変形例）における紫外光顕微鏡システムの構成図を示す。この顕微鏡は、図１に示す構成とほぼ同様であるが、波長の違う紫外光源１６と紫外光源３０１を有している。
【００７６】
なお、本変形例では、光源の種類はこれに限定されない。本変形例では、例えば、赤外、可視、紫外、波長の違い、光強度の違い等々、２つ以上の光源による観察法を持つようにしてもよい。この場合、各観察法には、図１の可視光観察用と紫外光観察用のように専用の対物レンズや光路等の光学ユニットを持つものとする。
【００７７】
上記の実施形態の作用と同様に、本変形例においても、観察法切り換えボタンにて観察法を切り換えて、選択した観察法以外の専用ユニットが選択されるのを無効化する制御を行う。
【００７８】
本実施形態によれば、観察法切り換えボタンにて、一方の観察法を選択した場合、他方の観察法のみに使用するボタンを選択できないので、複数の観察法をもつ顕微鏡をより操作性よく、使用することができる。この場合のボタンの機能を制限する手段（調整指示入力制限手段）としては、例えば、次が挙げられる。
【００７９】
１つ目の制限手段としては、観察法切り換えボタンのいずれかが選択されたタイミングで、操作部２５から制御回路１０２へその旨の指示信号が送信されて、その信号に基づいて制御回路１０２から操作部２５へ所定の信号を送信して操作部２５の所定のボタンが選択されるのを無効化する。
【００８０】
２つ目の制限手段としては、観察法切り換えボタンのいずれかが選択されたタイミングで、操作部２５でハードウェア的な制御により、操作部２５の所定のボタンが選択されるのを無効化する。
【００８１】
３つ目の制限手段としては、上述したように、操作部２５と同等の機能を有するソフトウェアをコンピュータ１０５で実行させて、コンピュータ１０５のモニタ１０４に表示された操作画面を用いて、操作部２５と同様に顕微鏡動作を制御したり、この操作画面上の選択可能なボタンと選択不可能なボタンとを視覚的に判別できるように制御したりしてもよい。
【００８２】
これにより、観察法切り換えボタンにより、可視光観察選択時は紫外光観察用の機能を選択できず、また、紫外光観察選択時は、可視光観察用の機能を選択できない。これにより、可視光と紫外光を光源とする顕微鏡を、試料及び対物レンズに対して、安全にかつより操作性良く使用できる。
【００８３】
また、各々の観察法に相応しいユニットを迷うことなく、また、用途を間違うことなく使用できるので、安全性及び操作性が向上する。さらに、その観察に使用しないユニットを選択することがないため、時間の短縮につながり、効率の良い操作及び観察を行うことができる。
【００８４】
＜第２の実施の形態＞
本実施形態では、顕微鏡の観察法の「紫外光観察⇒可視光観察」への切り替えについて説明する。ここでは、「紫外光観察⇒可視光観察」への切り替え時に、紫外光が可視光用対物レンズや光路に照射されない制御を行う顕微鏡について説明する。顕微鏡の構成については第１の実施形態と同様であるため、省略する。
【００８５】
図５は、本実施形態における「紫外光観察」から「可視光観察」への切り換え動作を示すフローチャートである。まず、紫外光観察状態であるとする（ステップ１。以下、ステップを「Ｓ」と称する）。すなわち、「紫外光観察」ボタン２０１ｂが選択されている（図３）。
【００８６】
次に、紫外光観察法から可視光観察法へ切り換えるために、可視光観察状態へ切り替える指示を行う（Ｓ２）。すなわち、操作部２５の「可視光観察」ボタン２０１ａを選択する。すると、遮光部材２４の状態（ｏｐｅｎ／ｃｌｏｓｅ）を検知する紫外光遮光部状態センサ（不図示）により現在の遮光部材の状態を示す信号が制御回路１０２へ伝達される。
【００８７】
制御回路１０２は、その受信した信号に基づいて、遮光部材２４の状態を判断する（Ｓ３）。遮光部材２４の状態が「ｃｌｏｓｅ」で、紫外光が遮断されている場合、制御回路１０２により可視光観察状態に遷移する（Ｓ５）。これにより操作部２５の対物レンズ絶対位置切換え部２０２の可視光対物レンズ選択ボタン２０２ａ，２０２ｂ，２０２ｃ，２０２ｄ、可視光専用光路ボタン（「ＤＦ」ボタン２０５ａ，「ＢＦ」ボタン２０５ｂ）の操作が可能となる（図２）。
【００８８】
Ｓ３で、遮光部材２４の状態が「ｏｐｅｎ」であると判断された場合、紫外光が照射されているので、制御回路１０２により遮光部材２４が「ｃｌｏｓｅ」にされる（Ｓ４）。
その後、制御回路１０２により可視光観察状態へ切り替えられる（Ｓ５）。なお、Ｓ３で、遮光部材２４の状態が「ｏｐｅｎ」であると判断された場合、エラーの表示、ブザー音等を出力し、切り換え操作を無効とする制御を行っても良い。
【００８９】
また、本実施形態では、対物レンズ、光路等のデフォルトの状態を設定できる。そこで、可視光観察状態に戻る場合は、その設定されたデフォルトの状態に、対物レンズ、光路等が常に戻るようにしても良い。
【００９０】
また、図６に示すように、可視光観察状態から紫外光観察状態へ切り替わるタイミングでその可視光観察状態での各ユニットの状態を記憶しておき、紫外光観察状態から可視光観察状態へ切り替わるときにはその記録した状態に各ユニットを戻すようにしてもよい。
【００９１】
図６は、本実施形態における、切り換え前の状態への復帰を考慮した「紫外光観察」から「可視光観察」への切り換え動作を示すフローチャートである。まず、可視光観察状態であるとする（Ｓ１１）。すなわち、「可視光観察」ボタン２０１ａが選択されている（図２）。
【００９２】
次に、紫外光観察法に切り換えるために、紫外光観察状態へ切り替える指示を行う（Ｓ１２）。すなわち、操作部２５の「紫外光観察」ボタン２０１ｂを選択する。この紫外光観察指示のタイミングで、コンピュータ１０５または制御回路１０２内のＲＡＭ（Ｒａｎｄｏｍ  Ａｃｃｅｓｓ  Ｍｅｍｏｒｙ）等の記憶装置に、可視光観察で選択されていた各ユニットの状態（例えば、設定値、位置、出力レベル等）を記憶する（Ｓ１３）。
【００９３】
そして、制御回路１０２により紫外光観察状態に遷移する（Ｓ１４）。これにより、操作部２５の「紫外」ボタン２０２ｅ、「ＵＶ」ボタン２０５ｃ）、シャッター制御部２０４（２０４ａ，２０４ｂ）の操作が可能となる（図２）。こうして、紫外光観察法により観察を行う（Ｓ１）。それから、図５と同様にして、紫外光観察状態から可視光観察状態への切り換え動作を行う（Ｓ１〜Ｓ５）。
【００９４】
Ｓ５における制御回路１０２による可視光観察状態への切り替えの際、制御回路１０２は、Ｓ１３で記憶した各ユニットの状態に関する情報（切り換え状態情報）を記憶装置から読み出す。そして、制御回路１０２は、その読み出した切り換え前状態情報に基づいて、各ユニットの状態を紫外光への切り換え前の状態へ復帰させる（Ｓ１５）。
【００９５】
本実施形態によれば、紫外光観察から可視光観察への切り換えに際して、可視光用対物レンズや光路に紫外光が入射するのを防止することができる。よって、操作性が向上する。
【００９６】
＜第３の実施の形態＞
本実施形態では、顕微鏡の観察法の「可視光観察⇒紫外光観察」への切り替えについて説明する。つまり、本実施形態では、現在選択されている観察法から他方の観察法へ切り替える際に、その現在選択されている観察法で有効に機能している各ユニットの状態に関する情報を保存しておき、再び切り替えられてその観察法に復帰した際に、その保存した各ユニットの状態に関する情報に基づいて、各ユニットを設定する顕微鏡について説明する。
【００９７】
さらに、本実施形態では、紫外光観察時においては、紫外光の照射時間を制御可能な顕微鏡について説明する。顕微鏡の構成については第１の実施形態と同様であるため、省略する。
【００９８】
まず、可視光観察の状態から、操作部２５の「紫外光観察」ボタン２０１ｂを選択する。この指示により、紫外光観察状態へ切り換わる。そうすると、「紫外」ボタン２０２ｅ、「ＵＶ」ボタン２０５ｃが選択可能になる。尚、遮光部材２４は、紫外光を遮断したまま開かないことが望ましい。
【００９９】
このとき、対物レンズ、光路はデフォルトの位置を設定でき、切り換え時にその状態に常に戻るようにしても良い。また、後述する図７のフローチャートの説明のように、紫外光観察状態を可視光観察状態に切り換える指示のタイミングで所定の記憶装置に紫外光観察で選択されていた各ユニットの設定状態を記憶しておき、可視光観察終了後に紫外観察へ切り換えるタイミングで各ユニットをその記憶した設定状態に戻すようにしても良い。
【０１００】
対物レンズ、光路が紫外光観察状態に切り替わった後は、操作部２５からの指示またはコンピュータ１０５によりモニタ１０４に表示されたソフトウェア等からの指示に基づいて遮光部材２４が制御され、使用状況に応じて紫外光が照射される。
【０１０１】
図７は、本実施形態における「可視光観察」から「紫外光観察」への切り換え動作を示すフローチャートである。まず、紫外光観察時に（Ｓ２１）、可視光観察状態に切り換える場合、操作部２５の「可視光観察」ボタン２０１ａを選択する（Ｓ２２）。
【０１０２】
このとき、コンピュータ１０５または制御回路１０２内のＲＡＭ（Ｒａｎｄｏｍ  Ａｃｃｅｓｓ  Ｍｅｍｏｒｙ）等の記憶装置に、現在の紫外光観察状態のユニット位置を遮光部材２４の状態を除いて保存する（Ｓ２３）。
【０１０３】
その後、可視光観察状態へと切り替わり（Ｓ２４）、可視光観察を行う（Ｓ２５）。
次に紫外光観察状態へと切り換えるために、可視光観察状態へ切り替える指示を行う（Ｓ２６）。すなわち、操作部２５の「紫外光観察」ボタン２０１ｂを選択する。
【０１０４】
紫外光観察状態へと切り換った後、制御回路１０２は、Ｓ２３で記憶した紫外光観察状態の各ユニットの状態に関する情報（切り換え状態情報）を記憶装置から読み出す。そして、制御回路１０２は、その読み出した切り換え前状態情報に基づいて、各ユニットの状態を可視光への切り換え前の状態へ復帰させる（Ｓ２７）。
【０１０５】
図８は、本実施形態における、遮光部材２４の制御を考慮した「可視光観察」から「紫外光観察」への切り換え動作を示すフローチャートである。図８は、図７のフローに遮光部材２４の動作制御を加えたものである。
【０１０６】
まず、紫外光観察時に（Ｓ２１）、可視光観察状態に切り換える場合、操作部２５の「可視光観察」ボタン２０１ａを選択する（Ｓ２２）。
このとき、コンピュータ１０５または制御回路１０２内のＲＡＭ（Ｒａｎｄｏｍ  Ａｃｃｅｓｓ  Ｍｅｍｏｒｙ）等の記憶装置に、現在の紫外光観察状態のユニット位置を遮光部材２４の状態を除いて保存する（Ｓ２３）。
【０１０７】
また、遮光部材２４の状態（ｏｐｅｎ／ｃｌｏｓｅ）を検知する紫外光遮光部状態センサ（不図示）により現在の遮光部材の状態を示す信号が制御回路１０２へ伝達される。
制御回路１０２は、その受信した信号に基づいて、遮光部材２４の状態を判断する（Ｓ３１）。遮光部材２４の状態が「ｃｌｏｓｅ」で、紫外光が遮断されている場合、制御回路１０２によりそのまま可視光観察状態に切り換えられる（Ｓ２４）。これにより操作部２５の対物レンズ絶対位置切換え部２０２の可視光対物レンズ選択ボタン２０２ａ，２０２ｂ，２０２ｃ，２０２ｄ、可視光専用光路ボタン（「ＤＦ」ボタン２０５ａ，「ＢＦ」ボタン２０５ｂ）の操作が可能となる（図２）。
【０１０８】
Ｓ３１で、遮光部材２４の状態が「ｏｐｅｎ」であると判断された場合、紫外光が照射されているので、制御回路１０２により遮光部材２４が「ｃｌｏｓｅ」にされる（Ｓ３２）。
【０１０９】
その後、制御回路１０２により可視光観察状態へ切り替えられる（Ｓ２４）。なお、Ｓ３１で、遮光部材２４の状態が「ｏｐｅｎ」であると判断された場合、エラーの表示、ブザー音等を出力し、切り換え操作を無効とする制御を行っても良い。
【０１１０】
Ｓ２４で可視光観察状態へ切り換えられると、制御回路１０２は後に説明するタイミング（Ｓ２６ａ）にて保存された可視光観察状態の設定情報を記憶装置より読み出す（Ｓ２４ａ）。制御回路１０２は、その設定情報に基づいて対物レンズ、光路等の各ユニットを設定することにより、前回の可視光観察状態に復帰する。こうして、可視光観察状態に切り換り、可視光観察が可能となる（Ｓ２５）。
【０１１１】
可視光観察状態にて可視光観察を行った後、再度紫外光観察状態に切り替える場合には、以下を行う。
紫外光観察状態へと切り換えるために、紫外光観察状態へ切り替える指示を行う（Ｓ２６）。すなわち、操作部２５の「紫外光観察」ボタン２０１ｂを選択する。そうすると、「紫外」ボタン２０２ｅ、「ＵＶ」ボタン２０５ｃが選択可能になる。尚、遮光部材２４は、紫外光を遮断したままの状態である。
【０１１２】
このとき、コンピュータ１０５または制御回路１０２内のＲＡＭ（Ｒａｎｄｏｍ  Ａｃｃｅｓｓ  Ｍｅｍｏｒｙ）等の記憶装置に、現在の可視光観察状態のユニットの状態に関する情報（位置、設定値、出力レベル等）を保存する（Ｓ２６ａ）。
【０１１３】
すると、制御回路１０２は、Ｓ２３で記憶した紫外光観察状態の各ユニットの設定状態に関する情報を記憶装置から読み出す（Ｓ２７）。制御回路１０２は、その設定情報に基づいて対物レンズ、光路等の各ユニットを設定することにより、前回の紫外光観察状態に復帰する。
【０１１４】
その後、ユーザは使用状況に応じて、遮光部材２４を開けるように指示する（Ｓ３３）。すなわち、操作部２５の「Ｏｐｅｎ」ボタン２０４ａを選択することで、遮光部材２４が開いて、紫外光が照射される。そして、紫外光観察を行う。
【０１１５】
なお、遮光部材２４を開けて紫外光を照射する時間を、制御回路１０２またはコンピュータ１０５により設定及び管理できるようにしても良い。例えば、ごく短時間しか紫外光を照射できないような試料を観察する場合、手動で焦点位置を合わせる時間が取れないことが考えられる。
【０１１６】
この場合、図示しないオートフォーカスユニット等を顕微鏡の構成に含めておく。そうすると、設定した紫外光照射時間に対し、十分短い時間に焦点位置へ移動させることができる。
【０１１７】
また、予め各対物レンズの焦点位置の差分を登録しておき、試料の損傷を起こさないような波長の光源とそれに対応した対物レンズにて観察を行い、切り換え時にその差分を読み出して、その対物レンズとの相対位置より焦点位置を設定して観察する等しても良い。
【０１１８】
また、紫外光観察用カメラ２２からのタイミング信号に基づいて、制御回路１０２またはコンピュータ１０５により、遮光部材２４を開ける時間が制御されるようにしてもよい。また、カメラが撮像状態であることを制御回路１０２にて判断できるようにし、撮像状態のとき以外は遮光部材２４を閉じるようにしても良い。
【０１１９】
また、本実施形態の紫外光照射時間の制御は、遮光部材２４の開閉制御ではなく、紫外光１６の点灯／消灯によってなされてもよい。
本実施形態によれば、紫外光照射時間の制御に関して、使用状況に応じて紫外光照射時間が厳密に管理できる。これにより、紫外光による試料の損傷及び可視光光学系の損傷をより効果的に防ぐことができる。
【０１２０】
また、本実施形態によれば、光源からの光を遮断する遮光手段または光源を切り換える手段を有するので、複数の観察法をもつ顕微鏡をより操作性良く使用できる。
以上より、本発明によれば、操作性が良く、効率的に紫外光顕微鏡を使用することができる。また、観察法の切り換えに際して、煩雑な操作を行うことなく、スムーズに切り換えを行うことができるので、観察に要する時間を短縮できる。また、ユーザから見て顕微鏡がどの観察状態にあるのか判別し易い。また、観察法切り換えボタンを使用した単純な制御なため、顕微鏡に新規ユニットや機能が加わる時に条件設定の修正が容易となる。
【０１２１】
また、本発明によれば、観察法切り換えボタンにて、一方の観察法を選択した場合、他方の観察法のみに使用するボタンを選択できないので、複数の観察法をもつ顕微鏡をより操作性よく、使用することができる。
【０１２２】
すなわち、観察法切り換えボタンにより、可視光観察選択時は紫外光観察用の機能を選択できず、また、紫外光観察選択時は、可視光観察用の機能を選択できない。これにより、可視光と紫外光を光源とする顕微鏡を、操作性良く使用できる。
【０１２３】
また、本発明によれば、照明光切り換え手段として、光源を切り換えてもよいし、光源からの光を遮断するようにしてもよいし、光路を切り替えてもよい。これにより、複数の観察法をもつ顕微鏡をより操作性良く使用できる。
【０１２４】
また、本発明によれば、各種切り換え手段は、対物レンズ切り換え手段、観察系切り換え手段、遮光手段であってもよい。これにより、複数の観察法をもつ顕微鏡をより操作性良く使用できる。
【０１２５】
また、本発明によれば、紫外光観察法から可視光観察法が選ばれた場合に、光源切り換え手段により紫外光源の消灯または遮光手段による遮断がされていないときには、紫外光源の消灯もしくは遮断、または可視光観察用の各種ボタンの無効化を行うことができる。これにより、より安全に、操作性良く観察法切り換えを行うことができる。
【０１２６】
また、本発明によれば、紫外光観察への切り換え指示にて観察法切り換え手段、対物レンズ切り換え手段を連動させて切り換えを行い、さらに、光源切り換え手段による光源の切り換えまたは遮光手段の開閉を制御することができる。これにより、操作性良く切り換えが行え、かつ、使用状況に応じて紫外光照射時間を厳密に管理することが容易にできる。
【０１２７】
また、本発明にかかる処理は、本発明にかかるプログラムが制御回路１０２に読み込まれて、この制御回路１０２により実行されてもよい。また、そのプログラムがコンピュータ１０５の制御回路により読み込まれてコンピュータ１０５で起動していてもよい。この場合には、顕微鏡に設置された各種センサからの検知情報はコンピュータ１０５に送信され、その検知情報に基づいて、コンピュータ１０５が顕微鏡の上述した動作を制御する。
【０１２８】
なお、本発明は、以上に述べた実施の形態に限定されるものではなく、本発明の要旨を逸脱しない範囲内で種々の構成または形態を取ることができる。
【図面の簡単な説明】
【０１２９】
【図１】第１の実施形態における紫外光顕微鏡システムの構成図を示す。
【図２】第１の実施形態における顕微鏡を操作するための操作部２５（可視光観察選択時）を示す。
【図３】第１の実施形態における顕微鏡を操作するための操作部２５（紫外光観察選択時）を示す。
【図４】第１の実施形態（変形例）における紫外光顕微鏡システムの構成図を示す。
【図５】第２の実施形態における「紫外光観察」から「可視光観察」への切り換え動作を示すフローチャートである。
【図６】第２の実施形態における、切り換え前の状態への復帰を考慮した「紫外光観察」から「可視光観察」への切り換え動作を示すフローチャートである。
【図７】第３の実施形態における「可視光観察」から「紫外光観察」への切り換え動作を示すフローチャートである。
【図８】第３の実施形態における、遮光部材２４の制御を考慮した「可視光観察」から「紫外光観察」への切り換え動作を示すフローチャートである。
【符号の説明】
【０１３０】
１      顕微鏡本体
２      ステージ
３      レボルバ
４      可視光用対物レンズ
５      紫外光用対物レンズ
６      試料
７      可視光源
８      照明系レンズ
９      光路切り換えユニット
９ａ    ハーフミラー
１０    ダイクロイックミラー
１１    結像レンズ
１２    ミラー
１３    接眼レンズ
１４    観察位置
１５    遮光部材
１６    紫外光源
１７    照明系レンズ
１８    減光部
１９    ハーフミラー
２０    紫外光用ミラー
２１    結像レンズ
２２    紫外光観察用カメラ
２３    結像位置
２４    遮光部材
２５    操作部
１０１  駆動機構
１０２  制御回路
１０３  照準移動機構
１０４  モニタ
１０５  コンピュータ
２０１  観察法切り換え部
２０２  対物レンズ絶対位置切り換え部
２０３  対物レンズ順送り部
２０４  シャッター制御部
２０５  光路切り換え部
３０１  紫外光源
【図１】
0004837437.tif 000002
【図４】
0004837437.tif 000003
【図５】
0004837437.tif 000004
【図６】
0004837437.tif 000005
【図７】
0004837437.tif 000006
【図８】
0004837437.tif 000007
【図２】
0004837437.tif 000008
【図３】
0004837437.tif 000009